(57)【要約】【課題】  この発明は、テレビ番組視聴中に電話がかかってきて通話を行った場合において、通話が終了した後に、通話中に放映された番組を視聴できるだけでなく、その番組を時間遅れで継続して視聴できるようになるテレビ放送受信機能付き携帯型電話機を提供することを目的とする。【解決手段】  テレビ放送受信機能付き携帯型電話機であって、テレビ視聴機能によってテレビ番組が放映されているときに、電話の着信がありかつオフフック操作が行われたことが検出されたときに、受信しているテレビ番組の録画を開始させる録画制御手段、ならびに録画制御手段によって録画が開始された後において、オンフック操作が行われたことが検出されたときに、録画制御手段によって録画が開始された時点のシーンから追いかけ再生を開始させる追いかけ再生制御手段を備えている。【選択図】  図１
2005260741.tif 000002
【特許請求の範囲】
【請求項１】
テレビ番組を受信して表示させるテレビ視聴機能、テレビ番組を受信して録画する録画機能およびテレビ番組を追いかけ再生する追いかけ再生機能を備えたテレビ放送受信機能付き携帯型電話機であって、
テレビ視聴機能によってテレビ番組が放映されているときに、電話の着信がありかつオフフック操作が行われたことが検出されたときに、受信しているテレビ番組の録画を開始させる録画制御手段、ならびに
録画制御手段によって録画が開始された後において、オンフック操作が行われたことが検出されたときに、録画制御手段によって録画が開始された時点のシーンから追いかけ再生を開始させる追いかけ再生制御手段、
を備えていることを特徴とするテレビ放送受信機能付き携帯型電話機。
【請求項２】
テレビ番組を受信して表示させるテレビ視聴機能、テレビ番組を受信して録画する録画機能およびテレビ番組を追いかけ再生する追いかけ再生機能を備えたテレビ放送受信機能付き携帯型電話機であって、
テレビ視聴機能によってテレビ番組が放映されているときに、電話の着信がありかつオフフック操作が行われたことが検出されたときに、受信しているテレビ番組の録画を開始させる録画制御手段、
追いかけ再生開始指令を入力させるための入力手段、
録画制御手段によって録画が開始された後において、オンフック操作が行われたことが検出されたときに、一定時間内に追いかけ再生指令が入力されたか否かを判別する判別手段、
判別手段によって、一定時間内に追いかけ再生指令が入力されたと判別されたときに、録画制御手段によって録画が開始された時点のシーンから追いかけ再生を開始させる追いかけ再生制御手段、ならびに
判別手段によって、一定時間内に追いかけ再生指令が入力されなかったと判別されたときに、受信しているテレビ番組の録画を停止させるとともに、テレビ視聴機能によって受信しているテレビ番組を表示させる手段、
を備えていることをことを特徴とするテレビ放送受信機能付き携帯型電話機。
【請求項３】
録画制御手段によって録画が行われているときに、録画中であることをユーザに報知させるための手段を備えていることを特徴とする請求項１および２のいずれかに記載のテレビ放送受信機能付き携帯型電話機。
【発明の詳細な説明】
【技術分野】
【０００１】
この発明は、テレビ放送受信機能付き携帯型電話機に関する。
【背景技術】
【０００２】
テレビ放送を受信する機能を備えた携帯型電話機が既に開発されている。このような携帯型電話機において、テレビ番組視聴中に電話がかかってきて通話を行った場合には、通話中に放映されているテレビ番組を集中して視聴することができなくなる。
【発明の開示】
【発明が解決しようとする課題】
【０００３】
この発明は、テレビ番組視聴中に電話がかかってきて通話を行った場合において、通話が終了した後に、通話中に放映された番組を視聴できるだけでなく、その番組を時間遅れで継続して視聴できるようになるテレビ放送受信機能付き携帯型電話機を提供することを目的とする。
【課題を解決するための手段】
【０００４】
請求項１に記載の発明は、テレビ番組を受信して表示させるテレビ視聴機能、テレビ番組を受信して録画する録画機能およびテレビ番組を追いかけ再生する追いかけ再生機能を備えたテレビ放送受信機能付き携帯型電話機であって、テレビ視聴機能によってテレビ番組が放映されているときに、電話の着信がありかつオフフック操作が行われたことが検出されたときに、受信しているテレビ番組の録画を開始させる録画制御手段、ならびに録画制御手段によって録画が開始された後において、オンフック操作が行われたことが検出されたときに、録画制御手段によって録画が開始された時点のシーンから追いかけ再生を開始させる追いかけ再生制御手段を備えていることを特徴とする。
【０００５】
請求項２に記載の発明は、テレビ番組を受信して表示させるテレビ視聴機能、テレビ番組を受信して録画する録画機能およびテレビ番組を追いかけ再生する追いかけ再生機能を備えたテレビ放送受信機能付き携帯型電話機であって、テレビ視聴機能によってテレビ番組が放映されているときに、電話の着信がありかつオフフック操作が行われたことが検出されたときに、受信しているテレビ番組の録画を開始させる録画制御手段、追いかけ再生開始指令を入力させるための入力手段、録画制御手段によって録画が開始された後において、オンフック操作が行われたことが検出されたときに、一定時間内に追いかけ再生指令が入力されたか否かを判別する判別手段、判別手段によって、一定時間内に追いかけ再生指令が入力されたと判別されたときに、録画制御手段によって録画が開始された時点のシーンから追いかけ再生を開始させる追いかけ再生制御手段、ならびに判別手段によって、一定時間内に追いかけ再生指令が入力されなかったと判別されたときに、受信しているテレビ番組の録画を停止させるとともに、テレビ視聴機能によって受信しているテレビ番組を表示させる手段を備えていることをことを特徴とする。
【０００６】
請求項３に記載の発明は、請求項１乃至２に記載の発明において、録画制御手段によって録画が行われているときに、録画中であることをユーザに報知させるための手段を備えていることを特徴とする。
【発明の効果】
【０００７】
この発明によれば、テレビ番組視聴中に電話がかかってきて通話を行った場合において、通話が終了した後に、通話中に放映された番組を視聴できるだけでなく、その番組を時間遅れで継続して視聴できるようになる。
【発明を実施するための最良の形態】
【０００８】
以下、図面を参照して、この発明の実施例について説明する。
【実施例】
【０００９】
図１は、テレビ放送受信機能付き携帯型電話機の概略的な構成を示している。
【００１０】
テレビ放送受信機能付き携帯型電話機は、制御装置１を備えている。制御装置１としては、例えば、ベースバンドチップ（商品名ｍｓｍ６２００）が用いられる。
【００１１】
制御装置１には、各種キーを有する操作部２が接続されているとともにＬＥＤ３が接続されている。また、制御装置１には、マイクロフォン４およびスピーカ５が接続されている。また、制御装置１には、通信部６を介して通信用アンテナ７が接続されている。
【００１２】
さらに制御装置１には、バス１０を介して、デジタルチューナ１２、フラッシュメモリ１３、デコーダ１４、ＯＳＤ１５が接続されている。デジタルチューナ１２には、テレビ用アンテナ１１が接続されている。ＯＳＤ１５には、液晶表示器等の表示器１６が接続されている。
【００１３】
この携帯型電話機は、電話機能、メール機能の他、テレビ機能も備えている。テレビ機能には、テレビ番組を受信して表示させるテレビ視聴機能、テレビ番組を受信して録画する録画機能およびテレビ番組を追いかけ再生する追いかけ再生機能が含まれている。テレビ機能に関連するＴＶ動作モードには、テレビ視聴機能を実行するテレビ視聴モード、録画機能を実行する録画モードおよび追いかけ再生機能を実行する追いかけ再生モードがある。
【００１４】
テレビ視聴モード時においては、テレビ用アンテナ１１によって受信された放送波は、デジタルチューナ１２によってチューニングされ、これによって得られたデータストリームは、バス１０を介してデコーダ１４に送られる。デコーダ１４で復号された映像データはＯＳＤ１５を介して表示器１６に送られて表示される。デコーダ１４で復号された音声データは、バス１０および制御装置１を介してスピーカ５から出力される。
【００１５】
録画モード時においては、テレビ用アンテナ１１によって受信された放送波は、デジタルチューナ１２によってチューニングされ、これによって得られたデータストリームはバス１０を介してフラッシュメモリ１３に蓄積される。なお、録画モード時には、制御装置１によってＬＥＤ３が点灯せしめられる。
【００１６】
追いかけ再生モード時には、テレビ用アンテナ１１によって受信された放送波は、デジタルチューナ１２によってチューニングされ、これによって得られたデータストリームはバス１０を介してフラッシュメモリ１３に蓄積される。また、フラッシュメモリ１３に蓄積されているデータがバス１０を介してデコーダ１４に送られる。デコーダ１４で復号された映像データはＯＳＤ１５を介して表示器１６に送られて表示される。デコーダ１４で復号された音声データは、バス１０および制御装置１を介してスピーカ５から出力される。なお、追いかけ再生モード時においては、フラッシュメモリ１３内にデータが循環的に記録される。
【００１７】
この実施例では、テレビ視聴モード時に電話がかかってきた場合の制御装置１の処理に特徴があるので、その場合の制御装置１の処理について説明する。
【００１８】
図２は、テレビ視聴モード時に電話がかかってきた場合の制御装置１の動作を示している。
【００１９】
テレビ視聴モード中である場合に（ステップＳ１）、着呼があった場合には（ステップＳ２）、着信音を出力させる（ステップＳ３）。そして、一定時間内にユーザによってオフフック操作が行われたか否かを判別する（ステップＳ４）。
【００２０】
一定時間内にユーザによってオフフック操作が行われなかった場合には、ステップＳ１に戻る。一定時間内にユーザによってオフフック操作が行われた場合には、電話機能による通話処理を開始するとともに（ステップＳ５）、ＴＶ動作モードをテレビ視聴モードから録画モードに変更する（ステップＳ６）。これにより、電話による通話が可能となるとともに、それまで視聴していたテレビ番組の録画が開始される。録画モード時には、ＬＥＤ３が点灯せしめられる。
【００２１】
次に、ユーザによってオンフック操作が行われたか否かを判別する（ステップＳ７）。オンフック操作が行われいなければ、フラッシュメモリ１３内の記録データ量が満杯になったか否かを判別する（ステップＳ８）。フラッシュメモリ１３内の記録データ量が満杯でない場合には、ステップＳ７に戻る。したがって、上記ステップＳ５で開始された通話が行われているときには、ステップＳ７とステップＳ８との処理が繰り返し行われる。
【００２２】
上記ステップＳ８において、フラッシュメモリ１３内の記録データ量が満杯になったと判別した場合には、それ以上録画を行えないので、フラグＦをセット（Ｆ＝１）した後（ステップＳ９）、録画モードを解除させる（ステップＳ１０）。これにより、録画が停止せしめられる。そして、ステップＳ７に戻る。
【００２３】
上記ステップＳ７において、オンフック操作が行われたと判別した場合には、通話が終了したと判別し、通話処理を終了するとともに、一定時間以内に追いかけ再生指令が入力されたか否かを判別する（ステップＳ１１）。追いかけ再生指令は、たとえば、操作部２上に設けられた追いかけ再生キーがユーザによって押されることによって入力される。
【００２４】
一定時間以内に追いかけ再生指令が入力されなかった場合には、ＴＶ動作モードをテレビ視聴モードにする（ステップＳ１２）。なお、この際、録画モードが設定されていれば、ＴＶ動作モードを録画モードからＴＶ視聴モードに変更する。ステップＳ１２の後、ステップＳ２に戻る。
【００２５】
上記ステップＳ１１において、一定時間以内に追いかけ再生指令が入力されたと判別した場合には、フラグＦがセットされているか否かを判別する（ステップＳ１３）。フラグＦがセットされていなければ（Ｆ＝０）、ＴＶ動作モードを録画モードから追いかけ再生モードに変更する（ステップＳ１４）。この場合には、上記ステップＳ６で録画が開始されたシーンから追いかけ再生が開始される。つまり、上記ステップＳ６から録画されたテレビ番組の再生が開始される。録画も引き続いて行われるため、当該番組が時間遅れで継続的に再生されることになる。
【００２６】
上記ステップＳ１３において、フラグＦがセットされていると判別した場合には、表示器１６に、録画が正常に行われなかったことを示す警告表示をした後（ステップＳ１５）、ＴＶ動作モードを追いかけ再生モードにする（ステップＳ１６）。この場合にも上記ステップＳ６で録画が開始されたシーンから追いかけ再生が開始されるが、通話中に受信された放送データの全てがフラッシュメモリ１３に格納されていないため、通話中に受信された放送の一部が抜けて再生されることになる。
【００２７】
なお、追いかけ再生を停止させるには、追いかけ再生を停止させるためのキー（例えば、再生停止キー）を操作すればよい。
【００２８】
上記実施例では、上記ステップＳ７において、オンフック操作が行われたと判別した場合には、一定時間以内に追いかけ再生指令が入力されたか否かを判別しているが（ステップＳ１１参照）、上記ステップＳ７において、オンフック操作が行われたと判別した場合に、ステップＳ１１の判別処理を行うことなく、ステップＳ１３に移行するようにしてもよい。
【図面の簡単な説明】
【００２９】
【図１】テレビ放送受信機能付き携帯型電話機の概略的な構成を示すブロック図である。
【図２】テレビ視聴モード時に電話がかかってきた場合の制御装置１の動作を示すフローチャートである。
【符号の説明】
【００３０】
１  制御装置
２  操作部
３  ＬＥＤ
１２  デジタルチューナ
１３  フラッシュメモリ
１４  デコーダ
１５  ＯＳＤ
１６  表示器
【図１】
2005260741.tif 000003
【図２】
2005260741.tif 000004